Podtech/llm-jp-corpus-v4-ja_patent huggingface dataset:
(57)【特許請求の範囲】
【請求項１】
電解液に作用極と対極とを接しさせてなる定電位電解式酸性ガス検出器において、
前記電解液が、ヨウ素酸塩を含む溶液に臭化物塩とヨウ化物塩を、ヨウ化物イオン量／（ヨウ化物イオン量＋臭化物イオン量）が、0.1乃至10％となるように混合して調整されている定電位電解式酸性ガス検出器
【発明の詳細な説明】
【技術分野】
【０００１】
本発明は、酸性ガスを検出するための電気化学式ガス検出器、より詳細にはその電解液の組成に関する。
【背景技術】
【０００２】
三フッ化塩素やフッ化水素などの弱酸性ガスを検出する定電位電解式酸性ガス検出器には、特許文献1に見られるように、被検ガス透過が可能で、かつ撥水性を備えた隔膜と貴金属の層を有する作用極と対極と備えた定電位電解型ガス検出器に、沃素酸塩と、臭化物塩とを含む溶液を電解液として収容したものが用いられていた。
【先行技術文献】
【特許文献】
【０００３】
【特許文献１】特開2004-271234号公報
【発明の概要】
【発明が解決しようとする課題】
【０００４】
上記定電位電解式酸性ガス検出器は、大気中に存在するオキシダント（オゾンＯ３）に対する感度をできる限り抑えて三フッ化塩素やフッ化水素などのを高い精度で検出することができるものの、応答速度が若干低いという不都合がある。
【０００５】
本発明の目的は、このような問題に鑑みてなされたものであって、その目的とするところはオキシダントに対する感度を抑制しつつ、弱酸性ガスに対する応答速度（定常値の６０％に到達するに要する時間）を改善できる定電位電解式酸性ガス検出器の電解液を提供することである。
【課題を解決するための手段】
【０００６】
このような問題を解消するために本発明においては、電解液に作用極と対極とを接しさせてなる定電位電解式酸性ガス検出器において、前記電解液が、ヨウ素酸塩を含む溶液に臭化物塩とヨウ化物塩を、ヨウ化物イオン量／（ヨウ化物イオン量＋臭化物イオン量）が、0.1乃至10％となるように混合して調整されている。
【発明の効果】
【０００７】
オキシダントに対する感度を抑えて低い濃度の三フッ化塩素やフッ化水素などの弱酸性ガスを従来よりも早い速度で検出することができる。
【図面の簡単な説明】
【０００８】
【図１】同図（Ａ）は、ヨウ化物イオン量と臭化物イオン量との合計に対するヨウ化物イオン量の比率と弱酸性ガスに対する応答速度との関係を示す線図であり、また図（Ｂ）はヨウ化物イオン量と臭化物イオン量との合計に対するヨウ化物イオンの比率とオゾンに対する感度との関係を示す線図である。
【発明を実施するための形態】
【０００９】
そこで以下に本発明の詳細を図示した実施例に基づいて説明する。
三フッ化塩素やフッ化水素などの弱酸性ガスを検出するのに適した定電位電解式酸性ガス検出器の電解液は、ヨウ素酸塩としてヨウ素酸リチウムを使用しその濃度を20mmol/L、また臭化物塩として臭化リチウム、ヨウ化物塩としてヨウ化ナトリウムを使用し、これらの合計濃度が500mmol/Lとなるように調整し、その上で電解液中のヨウ化物イオン量を、臭化物イオン量との合計に対する比率、つまりヨウ化物イオン量/（ヨウ化物イオン量＋臭化物イオン量）を変化させてオゾンに対する検出感度及び弱酸性ガス応答速度を調査した。
【００１０】
図1（Ａ）は、ヨウ化物イオン量と臭化物イオン量との合計に対するヨウ化物イオン量との比率と弱酸性ガスの応答速度（定常値の６０％に到達するに要する時間）との関係を示すものであって、ヨウ化物イオン量の比率が0.01％を越えると応答速度が急激に上昇する。
【００１１】
一方、図１（Ｂ）は、ヨウ化物イオン量と臭化物イオン量との合計に対するヨウ化物イオン量の比率とオゾン0.1ｐｐｍによるガス検出器の指示値との関係を示すものであって、ヨウ化物イオン量の比率が大きくなるにつれて指示値も大きくなる。オゾンの管理濃度（ＴＬＶ）は0.1ｐｐｍであり、またフッ化水素の管理濃度（ＴＬＶ）は0.5ｐｐｍで、酸性ガスの管理濃度（ＴＬＶ）に対するオゾンによる影響（誤差）は、20％程度まで許容できるから、ヨウ化物イオン量の比率は10％以下に設定する必要がある。
【００１２】
したがって、ヨウ化物イオン量/（ヨウ化物イオン量＋臭化物イオン量）の値を0.01％〜10％に設定すると、オゾンに対する誤差を抑えつつ、酸性ガスを迅速に検出することができる。
【図１】
0005392918.tif 000002
(57)【特許請求の範囲】
【請求項１】
掘り込み引手８を有する引き戸７を用いた引き戸構造において、中方立て１に中方立てカバー材２が当設固定され、前記の中方立てカバー材２の開口側には蓋体５が揺動可能に軸止され、引き戸開時に指が前記蓋体５に触れた時には前記蓋体５は前記中方立てカバー材２の凹部３方向に移動し、指が触れない時には前記開口側に中方立て１に対して平行に静止していることを特徴とする引き戸構造。
【請求項２】
前記蓋体５は、前記凹部３方向への略１／４円弧状の軌跡内の揺動であることを特徴とする請求項１記載の引き戸構造。
【請求項３】
前記中方立てカバー材は、平面視階段状或いは矩形状であることを特徴とする請求項１又は２記載の引き戸構造。
【発明の詳細な説明】
【技術分野】
【０００１】
本発明は掘り込み引手を有する引き戸を用いた引き戸構造に関する。
【背景技術】
【０００２】
これまでより内装用の建具に用いられる引き戸は、引き戸の走行方向に沿って上及び／又は下に設けられた引き戸溝上を摺動することにより開閉される。引き戸には、取手を設けた引き戸と、指が引っ掛かる程度の凹部を設けた掘り込み引手を有する引き戸が知られており、後者の引き戸は取手の出っ張りがない、取手がない分省スペース化できるといった理由から好まれ、需要も多い。
【特許文献１】特開２００２−２９５０６６号公報
【発明の開示】
【発明が解決しようとする課題】
【０００３】
しかしながら、掘り込み引手に指を掛けて引き戸を開ける方向に摺動した時に中方立てと引き戸の間に僅かな隙間に指を挟む場合があった。この問題を解決しようとすると中方立ての引手に対向する部分の開口巾を大きくすれば良いが、隣接する部屋から明かりが洩れるという問題があった。
【課題を解決するための手段】
【０００４】
本発明はかかる状況に鑑み検討されたもので、掘り込み引手８を有する引き戸７を用いた引き戸構造において、中方立て１に中方立てカバー材２が当接固定され、前記の中方立てカバー材２の開口側には蓋体５が揺動可能に軸止され、引き戸開時に指が前記蓋体５に触れた時には前記蓋体５は前記中方立てカバー材２の凹部３方向に移動し、指が触れない時には前記開口側に中方立て１に対して平行に静止していることを特徴とする引き戸構造である。
【発明の効果】
【０００５】
本発明の引き戸構造は、掘り込み引手を有する引き戸を摺動させて開ける際、蓋体５により指を挟むことがない。また、蓋体５は開口側に中方立て１に対して平行に静止しているため、明かりが洩れるにくい。以下、本発明を図面に基づいて説明する。
【発明を実施するための最良の形態】
【０００６】
図１は本発明で用いる中方立てカバー材２の正面図、図２は左側正面から見た斜視図、図３は右側正面から見た斜視図、図４は図１中の線Ａ−Ａ‘に沿う断面図である。尚、中方立てカバー材２は正面図において上下方向に連続する。
【０００７】
図４に示されるように中方立てカバー材２は、開口側に蓋体５が軸止されるとともに、中方立て１にビス６等で当設固定する側には蓋体５が収納される程度の深さと巾を有する凹部３が設けられている。本発明では、強度、取り付けやすさから中方立てカバー材２は平面視階段状になっているが、斜めになっていてもよい。蓋板５の軸止部（ｘ）には図示はしないがネジリバネが用いられている。
【０００８】
掘り込み引手８に指を引っ掛けて引き戸７を開けようとして蓋体５に指が触れると、人間は異物に当ったと感じ、咄嗟に指を離すという理由から本発明の引き戸構造では指を詰めることがない。
【０００９】
図５は使用状態を示す参考断面図である。引き戸７の引手８に指を引っ掛けて上及び／又は下に設けられた引き戸溝上を摺動させ、蓋体５に指が接触すると蓋体５は付勢力に抗して蓋体５の先端５ａが軸止部（ｘ）を中心に略１／４円弧状の軌跡上を凹部３方向に移動し、指を離した時には、蓋体５はバネの付勢力により静止位置に復元する。
【００１０】
蓋体５は常に開口側に中方立て１に対して平行な位置に静止しており、開口部を塞ぎ見栄えの良いとともに、隣接する部屋からの光、照明が洩れるのを防止することができる。
【００１１】
図６はコンパクトな中方立てカバー材２‘を用いた場合の使用状態を示す参考断面図であり、中方立てカバー材２‘は平面視矩形状であり、施工時に壁面材に切り欠き部を設けることなく施工できる特徴を有し、さらに引き戸７が閉まっているときには、この中方立てカバー材２‘が見えにくい。
【図面の簡単な説明】
【００１２】
【図１】中方立てカバー材２の正面図
【図２】中方立てカバー材２の左側正面から見た斜視図
【図３】中方立てカバー材２の右側正面から見た斜視図
【図４】図１中の線Ａ−Ａ‘に沿う断面図。
【図５】使用状態を示す参考断面図。
【図６】中方立てカバー材２‘を用いた場合の使用状態を示す参考断面図。
【符号の説明】
【００１３】
１  中方立て
２  中方立てカバー材
２´中方立てカバー材
３  凹部
５  蓋体
５ａ  蓋体の先端
６  ビス
７  引き戸
８  引手
ｘ  軸止部
【図１】
0005442809.tif 000002
【図２】
0005442809.tif 000003
【図３】
0005442809.tif 000004
【図４】
0005442809.tif 000005
【図５】
0005442809.tif 000006
【図６】
0005442809.tif 000007
(57)【特許請求の範囲】
【請求項１】
ボウルの内側にボウルよりも一回り大きいザルを設け、ザルの最上部一列は、他の箇所よりザルの目を大きくし、ボウルより出るようにした貝割れ大根の種取りザル。
【発明の詳細な説明】
【技術分野】
【０００１】  本発明は、貝割れ大根の種を調理時に簡単に取り除く事が出来る、貝割れ大根の種取りザルに関するものである。
【背景技術】
【０００２】従来、貝割れ大根の隙間に挟まっている種は、取らずに食すか、手で取り除いたりしていた。
【先行技術文献】
【０００３】
【発明の概要】
【発明が解決しようとする課題】
【０００４】  貝割れ大根の隙間に挟まっている種は食べても害はないが、見た目があまり良くなく、簡単に取り除く手段がなかった。
本発明は、以上の問題点を解決するものである。
【課題を解決するための手段】
【０００５】  ボウルの内側にボウルよりも一回り大きいザルを設ける。ザルの最上部一列は、他の箇所よりザルの目を大きくし、ボウルより出るようにする。
以上の構成よりなる貝割れ大根の種取りザル。
【発明の効果】
【０００６】  従来特に取る手段がなかった貝割れ大根の種を、本発明により簡単に取り除く事ができる。
【図面の簡単な説明】
【０００７】
【図１】本発明の斜視図
【図２】本発明の使用状態を示す斜視図
【発明を実施するための形態】
【０００８】  以下、本発明の実施の形態を説明する。
（イ）ボウル（１）の内側にボウルよりも一回り大きいザル（２）を設ける。
（ロ）ザル（２）の最上部一列には、他の箇所よりザルの目を大きくした種出し穴（３）      を設ける。
（ハ）種出し穴（３）は、ボウル（１）より出るようにする。
本発明は以上のような構造である。
本発明を使用するときは、根の部分を切り離した貝割れ大根（４）をボウル（１）に備えたザル（２）の中へ入れ、水（５）で洗いながら、表面に浮いた貝割れ大根の種（６）を種出し穴（３）から洗い落とす。
また、種出し穴（３）から貝割れ大根（４）が流れ落ちることは、ほとんどない。
【符号の説明】
【０００９】（１）ボウル、（２）ザル、（３）種出し穴、（４）貝割れ大根、（５）水、（６）貝割れ大根の種
【図１】
0005477747.tif 000002
【図２】
0005477747.tif 000003
(57)【特許請求の範囲】
【請求項１】
方形板状の上板と下板との間に用紙を挿入して裁断する用紙裁断機であって、前記上板の隣り合う１組の辺と相対する前記下板の隣り合う１組の辺を用紙の厚み分だけ上下動可能に嵌合する遊嵌部とし、前記上板の他の隣り合う１組の辺と相対する前記下板の他の隣り合う１組の辺を開放し間隙を形成して間隙部とした用紙裁断機。
【請求項２】
前記上板の一部に貫通孔を設けて、裁断後の用紙を排出可能とした請求項１に記載の用紙裁断機。
【発明の詳細な説明】
【技術分野】
【０００１】
本発明は用紙等を裁断する際に用いる裁断機に関し、特に折り紙など正方形の方形状に用紙を裁断したい場合に用いる裁断機に関する。
【背景技術】
【０００２】
従来、用紙裁断機としては平板に刃物の端の部分を固定し、刃物を上下動させて用紙を裁断するものが知られている。しかし、刃物を有することから安全性に難があり、特に子供向けの裁断機としては適していない。
また、定規などを用いて用紙を手で裁断する方法が従来より用いられている。しかし、この方法では用紙を２分割することはできるが、折り紙に適した正方形の用紙を得ることはできない。
【先行技術文献】
【特許文献】
【０００３】
【特許文献１】実開昭６２−７９８３号公報
【発明の概要】
【発明が解決しようとする課題】
【０００４】
本発明は上記事情に鑑みてなされたもので、煩雑でなく一度の操作で正方形の用紙を得ることができ、刃物を使用しないため安全性が高い子供向けの裁断機を提供する。
【課題を解決するための手段】
【０００５】
方形板状の上板と下板との間に用紙を挿入して裁断する用紙裁断機であって、前記上板の隣り合う１組の辺と相対する前記下板の隣り合う１組の辺を用紙の厚み分だけ上下動可能に嵌合する遊嵌部とし、前記上板の他の隣り合う１組の辺と相対する前記下板の他の隣り合う１組の辺を開放し間隙を形成して間隙部とした用紙裁断機。
前記上板の一部に貫通孔を設けて、裁断後の用紙を排出可能とした用紙裁断機。
【発明の効果】
【０００６】
本発明は、一度の操作で正方形の用紙を得ることができ、刃物を使用しないため安全性が高い子供向けの裁断機である。
また、上板の一部に貫通孔を設けた場合は、貫通孔に直接指を差し入れ、或いは貫通孔にスライド可能なゴムなどを装着して用紙を排出することが可能である。
【図面の簡単な説明】
【０００７】
【図１】実施例の全体図
【図２】実施例の紙を挿入した状態
【図３】実施例の紙を裁断中の状態
【図４】実施例の断面図
【発明を実施するための形態】
【０００８】
以下に、実施例を挙げて本発明をより詳細に説明するが、本発明は、これら実施例により何ら制限されるものではない。
【実施例】
【０００９】
図１は本実施例の全体斜視図である。
図面において、１は方形状に形成した上板で、隣り合う１組の辺に上板遊嵌部をそれぞれ設けてある。また、上板の中央部分には貫通孔２が２箇所設けてあり、上板表面の角には窪み３を設け、上板裏面には複数個の突起４が設けてある。
６は方形状に形成した上板で、前記上板１と相対する隣り合う１組の辺に下板遊嵌部をそれぞれ対応する箇所に設けてある。
本実施例では、上板１の上板遊嵌部と下板２の下板遊嵌部を上下動可能となるように遊びを設けて嵌合し遊嵌部９としてある。当該遊嵌部９は遊びを設けることが好ましく、当該遊びが間隙部７となって用紙が挿入できる。
【００１０】
次に、紙を裁断する工程について説明する。
窪み３を下方に押すとテコの原理で突起４側の間隙部７がやや大きめに広がる。下板６で沿って停止するまで紙をその間隙部７に挿入し、図２の状態とする。
次に、突起４部分を下方に押すと突起４が紙を押圧し、紙全体が固定される。その状態で紙の一部を掴み、窪み３方向へやや上方へ持ち上げながら引く。そうすると、紙は上板１の形状を残して図３のように裁断される。
【００１１】
次に、窪み３を下方に押すとテコの原理で突起４側の間隙部７が広がり、貫通孔２に指を入れて突起４側へ残紙を送り出すと、正方形の用紙が得られる。
このように本実施例は、刃物を使用せず、かつ、何度も紙を裁断することなく、一度の操作で正方形の用紙を得ることができる。
【符号の説明】
【００１２】
１  上板
２  貫通孔
３  窪み
４  突起
６  下板
７  間隙部
９  遊嵌部
【図１】
0005477210.tif 000002
【図２】
0005477210.tif 000003
【図３】
0005477210.tif 000004
【図４】
0005477210.tif 000005
(57)【特許請求の範囲】
【請求項１】
本機は、底面に少なくとも１以上の小穴が穿設され、底面中央付近に搾汁する果実が安定設置できかつ果実の回転を阻止する構造を持つ回転制止板を設けた筒形状の受け皿を、裏面に摺り機を設け前記受け皿の小穴から滴下する果汁を集める受け台に上載した下部と、前記受け皿に一定部位まで内挿可能なケース１、一端に操作つまみと他端に果実を切る多角形状切り刃を装着した上下に摺動可能な操作竿及び、操作竿が確実に中心部を上下摺動せしめるためのガイド板及び、上側当たり板は前記操作竿に固着し、他端当たり板には操作竿が上下に摺動可能な孔を穿設して、前記ガイド板に固着して保持された押しバネを内装するケース２を前記ケース１に内装固着した上部とで構成されており、受け皿内に果実を縦に置き、操作つまみを上にしてケース１を受け皿に挿入すると、ケース２の下端が回転制止板と相成って果実を押さえ、さらに操作つまみを下への挿し進めると操作つまみに連動した多角形状切り刃が果実に切り込み、操作つまみがケース１に当たって切り込みが止まると、操作つまみを回転させる事により多角形状切り刃も回転し、回転制止板で固定された果実の中では多角形状切り刃のひだが果肉を圧迫、引張せしめ、効率的、衛生的に果汁を搾り出し、又、本機の保管時には安全を確保するために、押しバネによって切り刃をケース２の内部に収納させる機能を持つ事を特徴とする搾汁装置。
【発明の詳細な説明】
【技術分野】
【０００１】  本発明は、果実「スダチ」等の効率的で衛生的な搾汁、果皮の利用に関する。
【背景技術】
【０００２】  従来、スダチ等を搾汁する場合には、果実を横に半月状に切り開き指で果皮から加圧して搾り出している。
そうした場合、果実を切り開くために包丁などが必要で事後には丁寧に洗い落として、移り香等に注意する必要がある。指で絞り出す事にも衛生上の不安もあり特に酢が指などに付くので手洗いは不可欠である。
又、果実を切り開くので種子が露出しており、絞り出す場合には食用としない種子も落下してしまい、除去が煩わしくて食事の雰囲気にそぐわないものである。
特開２００２−２３８７３７の様に搾る時に手も汚さず種子も落下しない搾り機が有るが、果実を半月状に切断する必要があるため包丁などが必要である。
【発明の開示】
【０００３】  従来、搾汁に先立って果実の房を切るために包丁等で横に切り開くのであるが、切るときに既に果十が飛散してしまうのでロスがあり、周りの汚れなどが発生するので煩わしいものである。
本機では切り込みは受け皿の中で行うため、果汁の飛散を防止してロス、周りの汚れなども発生しない。
又、切り込んだ切り刃を回すことによって果汁を搾り出すので、果実に直接指等が触れないので衛生的で果汁の飛散、手の汚れも全くない。
果皮を切り開かずに搾るので種子の飛び出しも無く、果汁のみが利用できるので食卓の流れが損なわれない。
【課題を解決するための手段】
【０００４】  上記目的を達成するために本発明の搾り機は、果実の種子は果芯に集中しているので切り刃を筒状に成し、果実の上面から種子を避けて切り込んで果皮を切り開かずに房を全て裂き、多角形状切り刃を果肉内部で回転させることによりひだが果肉を圧迫、引張して果汁を絞り出すものである。
又、搾汁後は切り刃には果実がくい込んでいるので、下部と上部を引き離せば果実も上部と供に取り外せてそのまま生ゴミ受けまで持ち運び、最後に操作つまみをケース１から引けば果実はケース２によって切り刃から押し離すことができる。
【発明の効果】
【０００５】  本発明は、以上説明したような構成であるから以下の効果が得られる。受け皿の中で果皮を切り裂かずに房を裂き、切り刃を回転させて果肉を圧迫、引張して搾汁するので、種子の飛び出し、搾汁の飛散、ロス、付近の汚れは全く無いし、搾汁に伴う包丁、機材が不要で、最後の果実の処理まで直接手に触れないので効率的、衛生的で飛び出した種子の除去など煩わしい作業が回避できる。
【発明を実施するための最良の形態、実施例】
【０００６】  以下、本発明を図面に基づき詳細に説明する。図−１は本発明の一例を側面より見た図であって、底面に小穴Ｊが穿設され中央付近には搾汁する果実が安定設置できかつ果実の回転を阻止する構造を持つ回転制止板１を設けた筒形状の受け皿Ｈを、裏面に摺り機（図−３）を設け前記受け皿Ｈの小穴Ｊより滴下する果汁を集める受け台Ｋに上載した下部と、前記受け皿Ｈに一定部位まで内挿可能なケース１Ｃ、一端には操作つまみＡと他端に果実を切る多角形状切り刃Ｆを装着した上下に摺動可能な操作竿Ｂ及び、操作竿Ｂが確実に中心部を上下摺動せしめるためのガイド板Ｄ及び、上側当たり板Ｌを前記操作竿Ｂに固着し他端当たり板には操作竿Ｂが上下に摺動可能な孔を穿設して、前記ガイド板Ｄに固着して保持された押しバネＭを内装するケース２Ｅを前記ケース１Ｃに内装固着した上部とで構成されている。
【０００７】  搾汁する果実を回転制止板１上に縦置して、操作つまみＡを上にしてケース１Ｃを下部の受け皿Ｈに挿入すると、まずケース２Ｅの下端が回転制止板１と相成って果実Ｇ押さえ、さらに操作つまみＡを下へ挿し進めると操作つまみＡに連動して多角形状切り刃Ｆが果実Ｇに切り込み、やがて操作つまみＡがケース１Ｃに当たって切り込みが止まると、操作つまみＡを回転させる事により多角形状切り刃Ｆも回転し、回転制止板１で固定された果実の中では多角形状切り刃Ｇのひだによって果肉を圧迫、引張させ、果汁を効率的、衛生的に種子の飛び出し、搾汁の飛散などの煩わしさもなく搾り出す事が出来る。
【０００８】  果実一個を搾汁して使用する場合には受け台Ｋを外して、受け皿Ｈから直接搾汁を滴下させて使うのが合理的であるが、連続して搾汁する場合には受け台Ｋに溜めて最後に搾汁を使うのがよい。
種子を含めて果実は上部の切り刃Ｆに食い込んでおり受け皿Ｈ、受け台Ｋに残るのは果汁のみであり、果実を切り開かないで搾汁するので種子の飛び出しは全く見られなく、果汁だけ安心して使用できる。
【０００９】  上部の切り刃Ｆに食い込んだ果実は生ゴミ受けの上で、操作つまみＡをケース１Ｃから引けばケース２Ｅによって切り刃Ｆから押し離される。
果実は受け皿Ｈに挿入してからは、最後の取り除きまでも含めて直接手に触れることはなく、手洗い等の煩わしさも無く、搾汁作業を効率的、衛生的に進めることが可能となる。
切り刃Ｆは鋭利な刃物であるが、保管時には押しバネＭの作用によって自動的にケース２Ｅの内部へ収納され、安全性も確保された構造である。
【図面の簡単な説明】
【図−１】本発明  まるごとスダチ  の一例で概略側面図である。
【図−２】本発明  まるごとスダチ  の切り刃の一例で概略図である。
【図−３】本発明  まるごとスダチ  の摺り機の一例で概略図である。
【符号の説明】      Ａ    操作つまみ
Ｂ    操作竿
Ｃ    ケース１
Ｄ    ガイド板
Ｅ    ケース２
Ｆ    切り刃
Ｇ    果実
Ｈ    受け皿
Ｉ    回転制止板
Ｊ    小穴
Ｋ    受け台
Ｌ    当り板
Ｍ    押しバネ
Ｎ    当り板
【図−１】
0005529495.tif 000002
【図−２】
0005529495.tif 000003
【図−３】
0005529495.tif 000004
(57)【特許請求の範囲】
【請求項１】
第１のレバー（２）、第２のレバー（３）および第３のレバー（４）を備えており、
上記第１のレバー（２）は、発射時に引き金レバー（５）から生じる推進力を伝達することによって発射をもたらし、
上記第２のレバー（３）は、上記第１のレバー（２）との相互作用のための第１の収納部（１０）を有しており、推進力を与えることによって第１の方向において上記第１のレバー（２）を回転可能にするばね（１１）を用いて上記第１のレバー（２）に接続されており、
上記第３のレバー（４）は、上記引き金レバー（５）が操作されていないときに、上記第２のレバー（３）が回転することを防止しており、上記引き金レバー（５）を動かしているときに、上記第２のレバー（３）に推進力を与えるばね（１１）によって第１の方向と逆の第２の方向において上記第２のレバー（３）を回転可能にする、引き金（１）であって、
引き金ロック（８）および安全ばね（９）を備えており、
上記引き金ロック（８）は、上記第３のレバー（４）の突出部（６）との相互作用のための第２の収納部（７）を含んでおり、
上記安全ばね（９）は、上記引き金ロック（８）および引き金レバー（５）に接続されており、上記引き金ロック（８）に非作用位置を取らせ、
上記引き金ロック（８）は、ライフルが地面に落下したときまたはライフルが任意の場所にぶつかったときに引き金ロック（８）が得るエネルギーを用いて、上記安全ばね（９）を押し返すことによって、上記第３のレバー（４）が回転することを防止可能にすることを特徴とする引き金（１）。
【発明の詳細な説明】
【技術分野】
【０００１】
本発明は、ユーザによって引き金が引かれない限り、ユーザの要求しない（地面へのライフルの落下、任意の場所への衝突など）使用を防止することによってユーザの安全性をより向上させ、ライフルが破損することを防止する引き金（１）に関する。
【背景技術】
【０００２】
現在、存在している銃のすべてのように、ユーザの安全性は、照準つきのエアライフルにおいて非常な重要性がある。ライフルの構造が組み立てられた後に、ライフルは、ライフルの落下を意味するライフルの転倒、任意の場所への衝突、または衝撃の結果として破裂すべきではない。さもなければ、ユーザの安全性がもたらされ得ず、ライフルが破損する。種々の開発が、この種の理由に対する必要性を満たすために従来技術においてなされている。これらの開発としては以下のものが挙げられる。
米国特許出願公開第２００８／０７８２８４号
トルコ特許文献第２００６  ０４４  ５４号
国際特許出願第ＰＣＴ／ＴＲ２００８／０００１４１号
公知の技術における実施に基づいて、要求なしのライフルの破裂は、発射がなされる前に、引き金の仕組みにおけるエクストラクタをケーシングに入れるという理屈を用いることによって抑制されている。しかし、問題の処理における上記エクストラクタおよびケーシングは、それらの数が十分ではなく、上記引き金に対して近い位置にないので、何らユーザの安全性をもたらし得ない。また、上記引き金を固定するロックは問題の上記文献には存在していない。
【０００３】
上述のように、ユーザの安全性を向上させる引き金を有している照準つきのエアライフルは、公知の技術における実施にはまったく言及されていない。
【発明の概要】
【０００４】
本発明の目的は、ライフルがユーザの要求しない発射を行うことを、ロックおよびスプリング自身を介して防止することによって、より向上されたユーザの安全性をもたらす引き金を提供することである。
【０００５】
本発明の他の目的は、ライフルがユーザの要求しない発射を行うことを、ロックおよびスプリング自身を介して防止することによって、ライフルを破損させない引き金を実現することである。
【図面の簡単な説明】
【０００６】
【図１】引き金が組み立てられた後の、発射前の配置の図である。
【図２】発射された後の引き金の配置を示す図である。
【図３】銃の落下または衝突の結果として起こる引き金の配置の図である。
【図４】引き金のロックの図である。
【図５】引き金の固定ばねの図である。
【発明を実施するための形態】
【０００７】
本発明の目的を達成するために作製された引き金は、添付の図面に示されている。
図１は、引き金が組み立てられた後の、発射前の配置の図である。
図２は、発射された後の引き金の配置を示す図である。
図３は、銃の落下または衝突の結果として起こる引き金の配置の図である。
図４は、引き金のロックの図である。
図５は、引き金の固定ばねの図である。
【０００８】
これらの図面に基づいて、本発明の目的である引き金のロックを有している照準つきのエアライフルを構成している部品は、以下のように番号が振られている：
１．引き金群
２．第１のエクストラクタ
３．第２のエクストラクタ
４．第３のエクストラクタ
５．引き金
６．突出部
７．ケーシング
８．ロック
９．ばね。
【０００９】
本発明の目的である引き金群（１）は、第１のエクストラクタ（２）、第２のエクストラクタ（３）、第３のエクストラクタ（４）、ロック（８）および安全ばね（９）を備えており、
上記第１のエクストラクタ（２）は、発射の間に、上記引き金から生じる推進力によって最終的に移動することによってライフルが発射することを可能にし、
上記第２のエクストラクタ（３）は、上記第１のエクストラクタ（２）が当該第２のエクストラクタ（３）のケーシングに入り込んでおり、上記第１のエクストラクタ（２）に対してばねによって接続されており、推進力を与えることによって、上記第１のエクストラクタ（２）のＡ方向における回転を可能にし、
上記第３のエクストラクタ（４）は、上記第２のエクストラクタ（３）に対して推進力を与えることによって、上記第２のエクストラクタ（３）のＢ方向における回転を可能にし、
上記ロック（８）は、上記第３のエクストラクタの突出部（６）のケーシング（７）に入り込んでおり、銃が地面に落下するか、任意の場所に衝突するときに引き金（５）が押される前に、ユーザの要求なしにライフルが発射することを防止し、
上記安全ばね（９）は、圧力を加えることによって上記第２のエクストラクタ（３）のエネルギーに耐える上記ロック（８）、およびクランプ（５）に接続されている。
【００１０】
本発明の目的である上記引き金は、ライフルが落下したときに引き金ロック（８）が得るエネルギーを用いて引き金固定ばね（９）を押し返して、上記第３のエクストラクタ（４）が（Ｃ）方向に回転することを防止することによって固定する。上記第３のクストラクタ（４）が回転できないので、これに接続されている他のエクストラクタが方向（Ａ）および（Ｂ）に回転できない。したがって、引き金の引き易さ（falling hardness）が最高度に設定されていても、要求なしの銃の破裂は解消される。
【００１１】
本発明の目的である引き金群（１）は、この基本的な概念の周辺まで、発展させるべき種々の実施を利用可能である。本発明は、本明細書に説明されている例に限定されず、特許請求の範囲に述べられていることが必須に限定される。
【図１】
0005529899.tif 000002
【図２】
0005529899.tif 000003
【図３】
0005529899.tif 000004
【図４】
0005529899.tif 000005
【図５】
0005529899.tif 000006